(57)【特許請求の範囲】
【請求項１】
フィールド部と、前記フィールド部を囲む客席部と、を備えたアリーナにおいて、
前記フィールド部の床版を地盤表面から浮かせた状態で支持すると共に、下端部が地盤の支持層に根入れされた場所打ち杭又は既成杭の支持杭と、
上端部が前記フィールド部の床版と隙間をあけて設けられ、前記支持杭を、隙間をあけて囲む筒材と、
前記筒材の内周面に、深さ方向に離散的に設けられて前記支持杭の座屈を防止する座屈防止手段としてのリブと、
を有するアリーナ。
【発明の詳細な説明】
【技術分野】
【０００１】
本発明は、アリーナに関する。
【背景技術】
【０００２】
コンサートホール等において、音楽に合わせて大人数の観客が床版を飛び跳ねると、観客が飛び跳ねることにより発生する大人数加振によって、床版の振動が地盤へ伝達される。地盤性状によっては、地盤へ伝達された振動が、コンサートホール等の構造物の外部へ拡散して周辺の建物を振動させるという問題がある。
大人数加振によって発生した振動を、構造物の外部へ拡散しないよう低減させる技術には、例えば特許文献１がある。
【０００３】
特許文献１は、振動発生源となる床版を、構造物及び下方の地盤と縁切し、支持地盤まで到達する杭で支持させている。更に、杭は、筒材で囲まれており、杭から周囲地盤へ伝播する振動が遮断されている。これにより、大人数加振等によって床版が振動発生源となったとしても、床版から、周囲の地盤へ拡散する振動を低減させることができる。
【先行技術文献】
【特許文献】
【０００４】
【特許文献１】特開２００７−１０７２０８号公報
【発明の概要】
【発明が解決しようとする課題】
【０００５】
しかし、特許文献１の技術は、振動発生源となる床版を囲む客席部を有さない場合の技術である。
【０００６】
本発明は、上記事実に鑑み、フィールド部の床版を客席部が囲むアリーナで発生する振動を低減させることを目的とする。
【課題を解決するための手段】
【０００７】
請求項１に記載の発明に係るアリーナは、フィールド部と、前記フィールド部を囲む客席部と、を備えたアリーナにおいて、前記フィールド部の床版を地盤表面から浮かせた状態で支持すると共に、下端部が地盤の支持層に根入れされた場所打ち杭又は既成杭の支持杭と、上端部が前記フィールド部の床版と隙間をあけて設けられ、前記支持杭を、隙間をあけて囲む筒材と、前記筒材の内周面に、深さ方向に離散的に設けられて前記支持杭の座屈を防止する座屈防止手段としてのリブと、を有することを特徴としている。
【０００８】
請求項１に記載の発明によれば、支持杭によりフィールド部の床版が地盤表面から浮かせた状態で支持されている。また、筒材により、フィールド部の床版を支持する支持杭と地盤との間に隙間が設けられている。
これにより、フィールド部で発生した振動は、支持杭を通じて支持層へ伝播され、地盤を経由してアリーナの外部へ伝達される振動を抑制することができる。また、フィールド以外で発生した大音響は客席部で遮断され、外部へ伝わりにくい。
【０００９】
発明の一態様は、前記筒材の内周面又は前記支持杭の外周面には、前記支持杭の座屈を防止する座屈防止手段が設けられていることを特徴としている。
【００１０】
発明の一態様によれば、座屈防止手段により支持杭の座屈が抑制される。これにより、支持杭を長くしても、鉛直荷重に対して座屈による耐力低減を考慮することなく支持杭の径を決定することができる。
また、座屈が抑制されるので、座屈防止手段がない場合よりも、支持杭の径を小径にすることができる。
【００１１】
発明の一態様は、前記支持杭は、場所打ち杭又は既成杭であり、前記座屈防止手段は、前記筒材の内周面に、深さ方向に離散的に設けられたリブであることを特徴としている。
【００１２】
発明の一態様によれば、筒材の内周面に設けられたリブにより支持杭の座屈が抑制されるので、支持杭側にはリブを必要としない。このとき、リブは、深さ方向に離散的に設けられているので、効果的に筒材と支持杭との隙間を確保できる。また、支持杭として、場所打ち杭又は既成杭のいずれも使用することができる。
【発明の効果】
【００１３】
本発明は、上記構成としてあるので、フィールド部の床版を客席部が囲むアリーナで発生する振動を低減させることができる。
【図面の簡単な説明】
【００１４】
【図１】本発明の第１実施形態に係るアリーナの基本構成を示す鉛直断面図である。
【図２】（Ａ）〜（Ｃ）はいずれも本発明の第１実施形態に係るアリーナのフィールド部の床版の下に設けられた二重管杭の構成を示す鉛直断面図である。
【図３】（Ａ）は本発明の第２実施形態に係るアリーナのフィールド部の床版の下に設けられた二重管杭の構成を示す鉛直断面図であり、（Ｂ）はその部分拡大図である。
【図４】（Ａ）は本発明の第３実施形態に係るアリーナのフィールド部の床版の下に設けられた二重管杭の構成を示す平面図であり、（Ｂ）はその鉛直部分断面図である。
【図５】（Ａ）〜（Ｃ）はいずれも本発明の第３実施形態に係る二重管杭の構築方法を説明するための鉛直断面図である。
【図６】（Ａ）は本発明の第４実施形態に係るアリーナのフィールド部の床版の下に設けられた二重管杭の構成を示す水平断面図であり、（Ｂ）はその鉛直部分断面図である。
【図７】（Ａ）〜（Ｃ）はいずれも、本発明の第４実施形態に係る二重管杭の構築方法を説明するための水平断面図である。
【図８】（Ａ）は本発明の第４実施形態に係る二重管杭の支持杭用型枠を示す斜視図であり、（Ｂ）はその鉛直断面を示す斜視図である。
【発明を実施するための形態】
【００１５】
（第１実施形態）
図１、図２（Ａ）〜（Ｃ）を用いて、第１実施形態に係るアリーナ１０について説明する。ここに、図１はアリーナ１０の鉛直断面図であり、図２（Ａ）〜（Ｃ）は、３種類の二重管杭２１Ｓ、２１Ｍ、２１Ｌの断面図である。
【００１６】
図１に示すように、アリーナ１０は、フィールド部１２と、フィールド部１２を囲む客席部１４とを備えている。アリーナ１０のフィールド部１２には、スポーツ競技等が行われる平板状の床版１６が横方向に設けられている。
フィールド部１２の床版１６の下には、複数の二重管杭２１が設けられている。二重管杭２１は、床版１６を支持する支持杭２０と、支持杭２０を囲む外鋼管（筒材）２２で構成されている。
【００１７】
支持杭２０は、鉄筋コンクリート製とされ、下端部を床版１６の直下の支持層６２に根入れさせ、上端部で床版１６を支持している。地盤表面１８と床版１６の間には、高さ方向に距離Ｈ１が設けられ、支持杭２０は、床版１６を浮かせた状態で支持している。距離Ｈ１は、床版１６が上下方向へ振動しても、床版１６が地盤表面に接触しない高さとされている。
【００１８】
支持杭２０の周囲には、外鋼管２２が埋め込まれている。外鋼管２２は中空鋼管で形成され、支持杭２０の周囲を、隙間ｄ１をあけて取り囲んでいる。外鋼管２２は、上端部が地盤表面１８と同じ高さに位置し、下端部は、床版１６の直下の砂礫層６０まで達している。なお、本実施形態では、地盤の地層は便宜上、上から表層地盤６４、一般的な中間地層６３、砂礫層６０、支持層６２の順に積層されている構成とした。
【００１９】
支持杭２０の外周面２０Ｇと、外鋼管２２の内周面２０Ｎとの隙間ｄ１は、支持杭２０の振動時の振幅より大きい寸法とされており、支持杭２０の振動は外鋼管２２には伝達されない。これにより、表層地盤６４への振動の伝達が抑制される。
一方、支持杭２０が横荷重を受けて支持杭２０が横へ移動したとき、支持杭２０は外鋼管２２の内周面と当接する。これにより、支持杭２０のそれ以上の変形が抑制される。
【００２０】
本構成とすることにより、フィールド部１２の床版１６で発生した振動は、支持杭２０を通じて支持層へ伝播される。即ち、床版１６と表層地盤６４が縁を切られ、支持杭２０と地盤（表層地盤６４、中間地層６３）も縁が切られているので、床版１６で発生した振動が表層地盤６４を振動させて、アリーナ１０の外部へ伝達されるのを抑制することができる。
【００２１】
また、フィールド部１２以外で発生した大音響は、客席部１４で遮断され、外部へ伝わりにくくなる。
なお、床版１６とアリーナ１０の客席部１４の床版２８も、縁切り部６８で縁が切られているのが望ましい。これにより、フィールド部１２の床版１６で発生した振動の外部への伝播を、より抑制することができる。
【００２２】
アリーナ１０のフィールド部１２を囲む客席部１４の床版２８の下には、二重管杭２５が設けられている。二重管杭２５は、支持杭２４と外鋼管２６で構成されている。
支持杭２４は、鉄筋コンクリート製とされ、下端部が床版２８の直下にある支持層６２に根入れされ、上端部で客席部１４の床版２８を含む客席部１４と屋根架構部１１を支持している。客席部１４の床版２８は、支持杭２４で地盤表面１８から高さＨ１だけ浮かせた状態で支持されている。高さＨ１は、客席部１４の床版２８が振動しても、地盤表面１８と接触しない高さとされている。
【００２３】
外鋼管２６は、支持杭２４の周囲を囲み、支持杭２４と隙間ｄ２をあけて埋め込まれている。外鋼管２６は、上端部が地盤表面１８と同じ高さに位置し、下端部が表層地盤６４の下方にある砂礫層６０に達している。
【００２４】
支持杭２４の外周面２４Ｇと、外鋼管２６の内周面２６Ｎとの隙間ｄ２は、支持杭２４の振動時の振幅より大きい寸法とされており、支持杭２４の振動は外鋼管２６には伝達されない。これにより、表層地盤６４への振動の伝達が抑制される。
一方、支持杭２４が横荷重を受けたとき、支持杭２４が横へ移動し、支持杭２４が外鋼管２６の内周面と当接する。これにより、支持杭２４のそれ以上の変形が抑制される。
【００２５】
本構成とすることにより、支持杭２４と地盤（表層地盤６４、中間地層６３）との接触が防止され、支持杭２４の振動が地盤に伝達されるのが抑制されきる。
ここに、支持杭２０、２４は、いずれも場所打ち杭でも良いし、既成杭でも良い。また、フィールド部１２の床版１６は、床版２８を含む客席部１４と屋根架構部１１よりも、重量が小さいので、フィールド部１２の床版１６を支持する支持杭２０は、床版２８を含む客席部１４と屋根架構部１１を支持する支持杭２４よりも小径とされている。
【００２６】
ここで、二重管杭２１の基本構成について説明する。
一般的に、二重管杭２１の外鋼管２２は、表層地盤６４へ埋め込まれた長さが長い程、支持杭２０と地盤（表層地盤６４、中間地層６３）との接触が抑制されるため、外鋼管２２による振動低減効果が大きいことが知られている。しかし、振動低減効果は、アリーナ１０から離れる程小さくなる。このため、最適長さは、経済性を加味し、アリーナ１０の構造や周辺建物との配置関係・距離、並びに表層地盤６４を構成する地質との関係等から決定されるのが望ましい。
【００２７】
外鋼管の長さが異なる３種類の二重管杭２１Ｓ、２１Ｍ、２１Ｌを用いて、具体的に説明する。二重管杭２５も同じであり説明は省略する。
【００２８】
図２（Ａ）には、アリーナ１０の構造や表層地盤６４の構造等から、大きな振動低減効果を必要としない条件における二重管杭２１Ｓの構成を示す。
二重管杭２１Ｓは、外鋼管２２Ｓで縁切りさせる地盤深さが浅くて良いので、外鋼管２２Ｓの長さＬ１は、例えば、地盤表面１８から表層地盤６４の途中までの長さとすればよい。外鋼管２２Ｓが短くできるので、経済的な負担が小さい。
【００２９】
図２（Ｂ）には、アリーナ１０の構造や表層地盤６４の構造等から、ある程度大きな振動低減効果を必要とする条件における二重管杭２１Ｍの構成を示す。
二重管杭２１Ｍは、外鋼管２２Ｍで縁切りさせる地盤深さがある程度必要なので、外鋼管２２Ｍの長さＬ２は、例えば、地盤表面１８から表層地盤６４の下端部まで達する長さとする必要がある。外鋼管２２Ｍを長くした分、振動低減効果を期待できる。
【００３０】
図２（Ｃ）には、アリーナ１０の構造や表層地盤６４の構造等から、大きな振動低減効果を要求される条件における二重管杭２１Ｌの構成を示す。
二重管杭２１Ｌは、外鋼管２２Ｌで縁切りさせる地盤深さが十分必要なので、外鋼管２２Ｌの長さＬ３は、例えば、地盤表面１８から砂礫層６０に達する長さとされている。外鋼管２２Ｌを十分に長くした分、大きな振動低減効果を期待できる。
【００３１】
以上説明したように、本構成によれば、支持杭２０により、フィールド部１２の床版１６が地盤表面１８から浮かせた状態で支持され、支持杭２４により、客席部１４の床版２８が地盤表面１８から距離Ｈ１で浮かせた状態で支持される。
また、外鋼管２２により、支持杭２０との間に隙間ｄ１が設けられ、外鋼管２６により、支持杭２４との間に隙間ｄ２が設けられている。これにより、床版２８を含む客席部１４で発生する振動、及び客席部１４の床版１６で発生する振動の表層地盤６４への拡散を、二重管杭２１、２５で低減させることができる。
【００３２】
なお、本実施形態では、フィールド部１２の床版１６の下に二重管杭２１を設け、客席部１４の床版２８の下に二重管杭２５を設ける構成について記載した。しかし、これに限定されることはなく、アリーナ１０の構造や表層地盤６４の構造等から、例えば、客席部１４の床版２８は単なる支持杭としてもよい。
【００３３】
（第２実施形態）
図３を用いて、第２実施形態に係る二重管杭３８について説明する。
二重管杭３８は、フィールド部１２の床版１６を支持する支持杭２０が節杭３２とされている点において、第１実施形態で説明した二重管杭２１と相違する。相違点を中心に説明する。
ここに、図３（Ａ）は本発明の第２実施形態に係る二重管杭３８の構成を示す鉛直断面図であり、（Ｂ）は（Ａ）の部分拡大図である。
【００３４】
節杭３２は、杭体部の外径寸法がＤ１とされ、杭体部の外周面３２Ｇには、節部（突出し部）３６が環状に突出されている。節部３６は外形寸法がＤ２で形成され、所定の距離Ｈ２をあけて、深さ方向（長さ方向）に離散的に設けられている。ここに、離散的とは、複数の節部を、深さ方向へ互いに離れ離れに配置することをいう。
【００３５】
節部３６の外周端と外鋼管３４の内周面３４Ｎとは、所定の隙間ｄ３が設けられている。隙間ｄ３は、節杭３２の振動時の振幅より大きい寸法とされており、節杭３２の振動は外鋼管３４には伝達されない。これにより、地盤（表層地盤６４、中間地層６３）への振動の伝達が抑制される。
一方、節杭３２が横荷重を受けたとき、節杭３２が横へ移動し、節部３６が外鋼管３４の内周面と当接する。これにより、節杭３２のそれ以上の変形が抑制される。
【００３６】
節杭３２は、杭長が長い場合に特に効果を発揮する。即ち、節杭３２が変形したとき節部３６が外鋼管３４の内周面と当接し、それ以上の変形が抑制される。これにより、節部３６により座屈が抑制されるので、杭径を必要以上に大きくしなくても、座屈を防ぐことができる。
【００３７】
経済的な見地からは、節部３６の数は、座屈強度の確保を前提に最小にするのが望ましく、節部３６の間の距離Ｈ２を最大にするのが望ましい。また、必要に応じて、節部３６と鋼管内面の間に摩擦低減剤（滑り剤）を塗布するのが望ましい。これにより、節杭３２と外鋼管３４の間で、上下振動が伝達されるのを抑制できる。
【００３８】
二重管杭３８の構築方法は、例えば、工場内で、節杭３２を鉄筋コンクリートで予め製作しておき、所定長さの節杭３２を現場に搬送した後、現場に設けられた掘削穴６６に、節杭３２を外鋼管３４に挿入しながら継ぎ足し、所定深さまで埋め込めばよい。
【００３９】
これにより、工場製作による高品質、現場での省力化等のメリットが生じる。また、二重管杭３８とすることにより、上下振動の伝達が遮断される一方、地震時の水平力は、節部３６で、外鋼管３４を介して表層地盤６４へ伝達される。
【００４０】
上述した二重管杭３８を、第１実施形態で説明した二重管杭２１に替えて用いることにより、アリーナ１０のフィールド部１２の杭長が長い場合であっても、節部３６により座屈が抑制されるので、杭径を必要以上に大きくしなくても、座屈を防ぐことができる。
【００４１】
なお、本実施形態では、フィールド部１２の床版１６を支持する支持杭２０を節杭３２とした場合について説明した。しかし、これに限定されることはなく、床版２８を含む客席部１４と屋根架構部１１を支持する支持杭２４を節杭３２としても良いし、両者を節杭３２としても良い。
他は、第１実施形態と同じ構成であり説明は省略する。
【００４２】
（第３実施形態）
図４（Ａ）、（Ｂ）、図５（Ａ）〜（Ｃ）を用いて、第３実施形態に係る二重管杭４８について説明する。
二重管杭４８は、フィールド部１２の床版１６の下に埋め込まれた外鋼管４４の内周面４４Ｎに、横リブ（座屈止め）４６を設けた点において、第１実施形態に係る二重管杭２１と相違する。相違点を中心に説明する。
ここに、図４（Ａ）は二重管杭４８の水平断面図、（Ｂ）は鉛直部分断面図、図５（Ａ）〜（Ｃ）はいずれも二重管杭４８の構築方法を説明するための鉛直断面図である。
【００４３】
図４（Ａ）、（Ｂ）に示すように、横リブ４６は、外鋼管４４の内周面４４Ｎに沿って外周縁が切り取られ、支持杭４２の外周面４２Ｇに沿って内周縁が切り取られた、扇状の鋼板である。
横リブ４６の外周縁は外鋼管４４の内周面４４Ｎに固定され、内周縁は支持杭４２の外周面４２Ｇと所定の隙間ｄ４をあけて対向されている。横リブ４６は、水平方向に４枚配置され、隣接する横リブ４６の間には所定の距離Ｓ１が設けられている。なお、横リブ４６の枚数や隣との距離Ｓ１は、単なる目安であり任意に設定できる。
また、横リブ４６は、深さ方向には、予め定めた距離Ｈ３を設けて、離散的に取付けられている。
【００４４】
ここに、横リブ４６と支持杭４２との隙間ｄ４は、支持杭４２の振動時の振幅より大きい寸法とされており、支持杭４２の振動は外鋼管４４には伝達されない。これにより、支持杭４２から表層地盤６４への振動の伝達が抑制される。
一方、支持杭４２が横荷重を受けたとき、支持杭４２が横へ移動し、横リブ４６が支持杭４２と当接する。これにより、支持杭４２のそれ以上の変形が抑制される。
【００４５】
また、支持杭４２が鉛直荷重で変形したとき、横リブ４６が支持杭４２外周面と当接し、それ以上の変形が抑制される。これにより、横リブ４６により座屈が抑制されるので、杭径を必要以上に大きくしなくても、座屈を防ぐことができる。
【００４６】
次に、図５（Ａ）〜（Ｃ）を用いて、二重管杭４８の構築方法を説明する。
先ず、図５（Ａ）に示すように、地盤（表層地盤６４、中間地層６３、砂礫層６０、及び支持層６２）を掘削し、掘削穴６６を設ける。掘削穴６６は、外鋼管４４の径で地盤表面１８から、砂礫層６０に達する深さまで掘削すると共に、更に、支持杭４２の径で、砂礫層６０から支持層６２に達する深さまで掘削する。
【００４７】
次に、図５（Ｂ）に示すように、掘削穴６６に、内周面に横リブ４６が取り付けられた外鋼管４４を、砂礫層６０に達する深さまで埋め込む。次に、外鋼管４４の内部に、外周壁鋼管７２を挿入し、外周壁鋼管７２の内部に支持杭４２用の鉄筋７０を配筋する。
外周壁鋼管７２は、砂礫層６０に達する深さまで挿入し、鉄筋７０は、支持層６２に達する深さまで配筋する。なお、外周壁鋼管７２は、コンクリート打設時の型枠としての機能を発揮させるものであり、コンクリート打設時の圧力に耐える強度があれば良く、薄肉鋼管が採用される。
【００４８】
次に、図５（Ｃ）に示すように、外周壁鋼管７２の内部にコンクリートを打設する。これにより、支持杭４２が、横リブ４６と所定の距離ｄ４をあけて、外鋼管４４の内部に、支持層６２に達する深さで作製される。
【００４９】
上述した二重管杭４８を、第１実施形態で説明した二重管杭２１に替えて用いることができる。これにより、二重管杭４８により支持杭４２の座屈が抑制されるので、アリーナ１０のフィールド部１２の杭長が長い場合であっても、支持杭４２の座屈を抑制することができる。
【００５０】
なお、本実施形態の二重管杭４８は、フィールド部１２の床版１６の下のみでなく、床版２８を含む客席部１４の下に設けても良い。
また、支持杭４２は、現場打ちコンクリート杭の場合について説明した。しかしこれに限定されることはなく、既成杭を使用してもよい。
他は、第１実施形態と同じ構成であり説明は省略する。
【００５１】
（第４実施形態）
図６（Ａ）、（Ｂ）、図７（Ａ）〜（Ｄ）、図８（Ａ）、（Ｂ）を用いて、第４実施形態に係る二重管杭５８について説明する。
図６（Ａ）、（Ｂ）に示すように、二重管杭５８は、外鋼管５４に、縦リブ（座屈止め）５６を複数設けた点において、第３実施形態に係る二重管杭４８と相違する。相違点を中心に説明する。
【００５２】
縦リブ５６は、深さ方向に所定の距離Ｈ４をあけて、外鋼管５４の内周面５４Ｎに、離散的に複数取り付けられている。縦リブ５６は、正面視が台形状の鋼板であり、台形の底辺となる一方の端面が、外鋼管５４の内周面５４Ｎに取り付けられ、台形状の頂辺となる他方の端面が、支持杭５２の外周面５２Ｇと所定の隙間ｄ５をあけて、対向配置されている。
【００５３】
ここに、支持杭５２と縦リブ５６との隙間ｄ５は、支持杭５２の振動時の振幅より大きい寸法とされており、支持杭５２の振動は外鋼管５４には伝達されない。これにより、外鋼管５４から地盤（表層地盤６４、中間地層６３）への振動の伝達が抑制される。
一方、支持杭５２が横荷重を受けたとき、支持杭５２が横へ移動し、縦リブ５６が支持杭５２と当接する。これにより、支持杭５２のそれ以上の変形が抑制される。
【００５４】
また、鉛直荷重を受けて支持杭５２が変形したとき縦リブ５６が支持杭５２の外周面と当接し、それ以上の変形が抑制される。これにより、縦リブ５６により、支持杭５２の座屈が抑制されるので、杭長が長くても、支持杭５２の座屈を防ぐことができる。
【００５５】
ここで、二重管杭５８の構築方法を説明する。
先ず、第３実施形態で説明したように、二重管杭５８の構築位置の地盤（表層地盤６４、中間地層６３、砂礫層６０、及び支持層６２）を、所定の径で、先端が支持層６２に達する深さまで掘削し、掘削穴６６を設ける。
【００５６】
次に、図７（Ａ）に示すように、掘削穴６６に、内周面に縦リブ５６が設けられた外鋼管５４を埋め込む。縦リブ５６は、縦方向（外鋼管５４の中心線方向）へ取付ける。
【００５７】
次に、図７（Ｂ）に示すように、発泡スチロール（発砲材）製の型枠材７４を、外鋼管５４の内周面に貼り付ける。
型枠材７４は、発泡スチロールで中空円筒体に形成された後、中心線に沿った方向に複数のパーツに分割された構成である（図８（Ａ）参照）。分割された各型枠材７４は、縦リブ５６の収納部を備え、縦リブ５６の先端を厚さＴ１（厚さＴ１＝隙間ｄ１）で覆う板厚Ｔ２に形成されている。型枠材７４は、隙間なく外鋼管５４の内周面に貼り付けされている。型枠材７４の貼り付け後は、外周壁が外鋼管５４に内接し、内周壁が円柱状の空洞部となる中空円筒体となる。また、縦リブ５６は、型枠材７４の内部の収納部に収められる。
【００５８】
また、各型枠材７４の内部には、電気ヒータ（面状ヒータ）７６が埋め込まれている（図８（Ｂ）参照）。電気ヒータ７６は、外鋼管５４の近くの側壁、及び支持杭５２と接することとなる、内周面の近くの側壁に埋め込まれている。これにより、支持杭５２の構築後、電気ヒータ７６に通電することで、型枠材７４を溶解させ、体積を小さくして取り出すことができる。
【００５９】
次に、図７（Ｃ）に示すように、型枠材７４の内部に、支持杭５２用の鉄筋を組立て、掘削穴６６の中へ挿入する。型枠材７４は、コンクリート打設時の型枠の役目を果たす。
続いて、型枠材７４で形成された空洞部へ、コンクリートが打設され、支持杭５２が作製される。
【００６０】
次に、図７（Ｄ）に示すように、予め型枠材７４に埋め込まれていた電熱線に通電し、型枠材７４の表面を面状ヒータ７６の熱で溶かす。その後、電気ヒータ７６と型枠材７４の未熔解部を掘削穴から取り出す。これにより、縦リブ５６の内部に支持杭４２が作製される。
【００６１】
なお、上述した二重管杭５８を、第１実施形態で説明した二重管杭２１に替えて用いることにより、アリーナ１０のフィールド部１２の杭長が長い場合であっても、縦リブ５６により、支持杭５２の座屈が抑制される。また、支持杭５２の杭径を大きくしなくても、座屈を防ぐことができる。
他は、第１実施形態と同じ構成であり説明は省略する。
【符号の説明】
【００６２】
１０  アリーナ
１２  フィールド部
１４  客席部
１６  床版
１８  地盤表面
２０、２４、３２、４２、５２  支持杭
２０Ｇ、２４Ｇ、３２Ｇ、４２Ｇ、５２Ｇ  支持杭の外周面
２２、２６、３４、４４、５４  外鋼管（筒材）
２２Ｎ、２６Ｎ、３４Ｎ、４４Ｎ、５４Ｎ  外鋼管（筒材）の内周面
３６  突出し部（座屈防止手段）
４６  横リブ（座屈防止手段）
５６  縦リブ（座屈防止手段）
【図１】
0006474231.tif 000002
【図２】
0006474231.tif 000003
【図３】
0006474231.tif 000004
【図４】
0006474231.tif 000005
【図５】
0006474231.tif 000006
【図６】
0006474231.tif 000007
【図７】
0006474231.tif 000008
【図８】
0006474231.tif 000009